(57)【要約】【課題】電動式のテープ供給装置に装着できるだけでなく、剥がししろとなる非粘着部を片面粘着テープの長手方向に沿って形成することのできるテープ保持器を提供する。【解決手段】電動式のテープ供給装置に装着されるテープ保持器１００を、テープロール２００を支持するためのテープロール支持手段１１０と、テープロール２００から繰り出された片面粘着テープ２１０の側端部を粘着面側に折り返すためのテープ折り返し手段１２０とを備えたものとし、剥がししろとなる非粘着部を片面粘着テープ２１０の長手方向に沿って形成できるようにした。【選択図】図１
2007217080.tif 000002
【特許請求の範囲】
【請求項１】
電動式のテープ供給装置に装着されるテープ保持器であって、テープロールを支持するためのテープロール支持手段と、テープロールから繰り出された片面粘着テープの側端部を粘着面側に折り返すためのテープ折り返し手段とを備え、剥がししろとなる非粘着部を片面粘着テープの長手方向に沿って形成できるようにしたことを特徴とするテープ保持器。
【請求項２】
テープ折り返し手段が、片面粘着テープの側端部を粘着面側に起立させるための起立ガイドと、起立させられた側端部を粘着面側に倒伏させるための倒伏ガイドとで構成された請求項１記載のテープ保持器。
【請求項３】
倒伏ガイドが、片面粘着テープの幅方向と平行に配されて該片面粘着テープの非起立部に非粘着面側から接触するための軸部を有する請求項２記載のテープ保持器。
【請求項４】
片面粘着テープを幅方向に位置決めするための拡径部が倒伏ガイドの軸部における少なくとも一端に設けられた請求項３記載のテープ保持器。
【請求項５】
倒伏ガイドの拡径部における軸部接続面がすり鉢状に陥没して形成された請求項４記載のテープ保持器。
【請求項６】
倒伏ガイドが可動アームに取り付けられ、テープロールを交換する際に倒伏ローラを邪魔にならない位置に移動させることができるようにした請求項１〜５いずれか記載のテープ保持器。
【請求項７】
テープ保持器をテープ供給装置に固定するための固定手段が設けられた請求項１〜６いずれか記載のテープ保持器。
【請求項８】
請求項１〜７いずれか記載のテープ保持器が装着された電動式のテープ供給装置。
【発明の詳細な説明】
【技術分野】
【０００１】
本発明は、電動式のテープ供給装置に装着されるテープ保持器と、該テープ保持器が装着された電動式のテープ供給装置に関する。
【背景技術】
【０００２】
従来より、テープロールから粘着テープを繰り出して所定長さごとに切断していく電動式のテープ供給装置が知られている（例えば、特許文献１と特許文献２を参照。）。この種のテープ供給装置は、食品包装容器の本体と蓋体とを粘着テープで留める際などに用いられており、スーパーマーケットや食品工場などで広く用いられている。
【０００３】
市販されている電動式のテープ供給装置のなかには、テープ保持器（例えば、特許文献３を参照。）を着脱自在にしたものも見受けられる。
【０００４】
また、テープロールから繰り出された粘着テープの側端部を粘着面側に折り返すための折り返し手段を備えたものも提案されている（例えば、特許文献４を参照。）。これにより、剥がししろとなる非粘着部を粘着テープの長手方向に沿って形成することができ、貼り付けられた粘着テープを爪を立てたりすることなく容易に剥がすことが可能になる。
【０００５】
さらに、手動式のテープ供給装置であり、電動式のものとすることについては言及されていないが、粘着テープの側端部を折り返すための折り返し手段をテープ供給装置に対して着脱自在に設けたものも提案されている（例えば、特許文献５を参照。）。
【０００６】
【特許文献１】特公平０６−０７１９７７号公報（特許請求の範囲、第１図）
【特許文献２】実公平０７−００５０８７号公報（実用新案登録請求の範囲、第１図）
【特許文献３】特許第２９１３３８２号公報（特許請求の範囲、図１）
【特許文献４】特許第３６８３１９０号公報（特許請求の範囲、図１、図３、図４）
【特許文献５】特開２００４−３１５２０３号公報（特許請求の範囲、図１１、図１２）
【発明の開示】
【発明が解決しようとする課題】
【０００７】
しかし、特許文献１や特許文献２に記載されているテープ供給装置や、特許文献３に記載されているテープ保持器には、剥がししろとなる非粘着部を粘着テープに形成することができないという欠点があった。
【０００８】
また、特許文献４に記載されたテープ供給装置は、その内部に粘着テープの側端部を折り返すための折り返し手段が組み込まれているので、剥がししろとなる非粘着部を粘着テープに形成する場合にしか使用することができないという欠点を有していた。
【０００９】
さらに、特許文献５に記載されたテープ供給装置は、粘着テープを自動的に供給することができず、粘着テープの貼り付け作業を効率的に行うことができないという欠点を有していた。
【００１０】
本発明は、上記課題を解決するためになされたものであり、電動式のテープ供給装置に装着できるだけでなく、剥がししろとなる非粘着部を片面粘着テープの長手方向に沿って形成することのできるテープ保持器を提供することが可能になる。したがって、従来の電動式のテープ供給装置を、テープ保持器を本発明のものに交換するだけで、剥がししろとなる非粘着部を形成することが可能なものへと切り替えることができるようになる。
【課題を解決するための手段】
【００１１】
上記課題は、電動式のテープ供給装置に装着されるテープ保持器であって、テープロールを支持するためのテープロール支持手段と、テープロールから繰り出された片面粘着テープの側端部を粘着面側に折り返すためのテープ折り返し手段とを備え、剥がししろとなる非粘着部を片面粘着テープの長手方向に沿って形成できるようにしたことを特徴とするテープ保持器を提供することによって解決される。
【００１２】
テープ折り返し手段は、片面粘着テープの側端部を折り返すことができるものであれば特に限定されないが、片面粘着テープの側端部を粘着面側に起立させるための起立ガイドと、起立させられた側端部を粘着面側に倒伏させるための倒伏ガイドとで構成されたものであると好ましい。これにより、片面粘着テープの側端部を綺麗に折り返すことが可能になる。
【００１３】
倒伏ガイドが、片面粘着テープの幅方向と平行に配されて該片面粘着テープの非起立部（起立ガイドによって起立させられた側端部（起立部）を除く部分）に非粘着面側から接触するための軸部を有することも好ましい。これにより、側端部が起立しているのとは反対側に片面粘着テープを反らせることが可能になり、起立させられた片面粘着テープの側端部を無理なく粘着面側に倒伏させることができるようになる。
【００１４】
片面粘着テープを幅方向に位置決めするための拡径部が倒伏ガイドの軸部における少なくとも一端に設けられていることも好ましい。これにより、片面粘着テープの位置ずれを防止して、その側端部を高い寸法精度で折り返すことが可能になる。
【００１５】
倒伏ガイドの拡径部における軸部接続面（軸部に接続されている面）がすり鉢状に陥没して形成されていることも好ましい。これにより、片面粘着テープが倒伏ガイドの拡径部から受ける摩擦力を低減することが可能になり、片面粘着テープに皺が形成されにくくすることができる。
【００１６】
倒伏ガイドが可動アームに取り付けられ、テープロールを交換する際に倒伏ローラを邪魔にならない位置に移動させることができるようにすることも好ましい。これにより、テープロールの交換をより容易に行うことができるようになる。
【００１７】
テープ保持器をテープ供給装置に固定するための固定手段が設けられていることも好ましい。これにより、テープ保持器の脱落や位置ずれを防止することが可能になり、本発明のテープ保持器が装着された電動式のテープ供給装置から供給される片面粘着テープに不良が生ずるのを防止することができる。
【発明の効果】
【００１８】
以上のように、本発明によって、電動式のテープ供給装置に装着できるだけでなく、剥がししろとなる非粘着部を片面粘着テープの長手方向に沿って形成することのできるテープ保持器を提供することが可能になる。したがって、従来の電動式のテープ供給装置を、テープ保持器を本発明のものに交換するだけで、剥がししろとなる非粘着部を形成することが可能なものへと切り替えることができるようになる。
【発明を実施するための最良の形態】
【００１９】
本発明のテープ保持器の好適な実施態様を、図面を用いてより具体的に説明する。
【００２０】
１      テープ保持器の概要
図１は、本発明のテープ保持器１００にテープロール２００を保持させた状態を示した斜視図である。本発明のテープ保持器１００は、図１に示すように、テープロール２００を支持するためのテープロール支持手段１１０と、テープロール２００から繰り出された片面粘着テープ２１０の側端部を粘着面側に折り返すためのテープ折り返し手段１２０とを備えたものとなっており、剥がししろとなる非粘着部を片面粘着テープ２１０の長手方向に沿って形成できるものとなっている。このテープ保持器１００は、電動式のテープ供給装置に装着して用いられる。
【００２１】
テープ保持器１００における片面粘着テープ２１０の送出側には、片面粘着テープ２１０を仮留めするための仮留め台１３４が設けられている。このため、後述するテープ供給装置３００に片面粘着テープ２１０を容易にセッティングできるようになっている。本実施態様のテープ保持器１００において、仮留め台１３４の先端には、片面粘着テープ２１０を切断するための切断刃１６０が取り付けられており、テープ保持器１００単体でも、テープカッターとして使用することができるようになっている。
【００２２】
２      テープ供給装置
図２は、本発明のテープ保持器１００を装着する電動式のテープ供給装置３００を示した斜視図である。このテープ供給装置３００は、それに内蔵されたテープ繰り出しローラ（図示省略）を電動モータ（図示省略）で回転駆動することによって、テープ保持部１００に保持されたテープロール２００から片面粘着テープ２１０を繰り出すものとなっている。テープ供給装置３００は、市販のものを採用することができる。
【００２３】
図３は、図１のテープ保持器１００を図２のテープ供給装置３００に装着した状態を示した斜視図である。装着するテープ保持器１００の台数や配置は特に限定されないが、本実施態様のテープ供給装置３００には、２台のテープ保持器１００を並列に装着することができるようになっている。このため、１度に２本の片面粘着テープ２１０を供給できるようになっており、片面粘着テープ２１０を効率的に供給することができるようになっている。
【００２４】
テープロール２００から繰り出された片面粘着テープ２１０は、テープ供給装置３００に内蔵された切断刃（図示省略）によって所定長さに切断された後、テープ送出口３１０からテープ供給装置３００の外部に送り出され、テープ送出口３１０の近傍に設けられたテープ受け手段３２０によって受け止められるようになっている。このため、テープ送出口３１０から送り出された片面粘着テープ２１０を手で容易に取ることができるようになっている。
【００２５】
このとき、テープ受け手段３２０から片面粘着テープ２１０が無くなると、前記テープ繰り出しローラが自動的に回転駆動されるように設定されていると好ましい。これにより、粘着テープ２１０の供給を効率的に行うことができる。本実施態様のテープ供給装置３００においては、テープ送出口３１０の近傍に光電センサ（図示省略）が設けられており、該光電センサが片面粘着テープを検知しなくなると、前記テープ繰り出しローラが自動的に回転駆動されるようになっている。
【００２６】
３      テープロール支持手段
図４は、図１のテープ保持器１００を分解した状態を示した斜視図である。図５は、図１のテープ保持器１００から側板１３０を取り外した様子を軸Ｌ１に平行な方向から見た状態を示した図である。
【００２７】
テープロール支持手段１１０は、テープロール２００を支持できる形態のものであれば特に限定されないが、本実施態様のテープ保持器１００においては、図５に示すように、テープロール２００に内接する第一支持ローラ１１１と、テープロール２００に外接する第二支持ローラ１１２とで構成されている。
【００２８】
片面粘着テープ２１０は、第二支持ローラ１１２の下側から繰り出されるようになっており、その非粘着面が第二支持ローラ１１２の外周面に接触しながら後述する折り返し手段１２０へと送り出されるようになっている。
【００２９】
第一支持ローラ１１１と第二支持ローラ１１２には、図４に示すように、その両端に一対の拡径部を設けており、テープロール２００の横方向（テープロール２００に巻装されている片面粘着テープ２１０の幅方向）の動きを規制している。
【００３０】
４      テープ折り返し手段
本実施態様のテープ保持器１００において、テープ折り返し手段１２０は、図４に示すように、片面粘着テープ２１０の側端部を粘着面側に起立させるための起立ローラ１２１（起立ガイド）と、起立させられた側端部を粘着面側に倒伏させるための倒伏ローラ１２２（倒伏ガイド）とで構成されたものとなっている。起立ローラ１２１と倒伏ローラ１２２は、それぞれ軸Ｌ１，Ｌ２を中心に回転可能に支持されており、片面粘着テープ２１０を円滑に案内することができるようになっている。
【００３１】
図６は、テープロール２００から繰り出された片面粘着テープ２１０の側端部が折り返されて非粘着部２１１が形成される様子を示した斜視図である。図７は、図１における起立ローラ１２１を軸Ｌ１を含む平面で切断した状態を示した断面図である。図８は、図１における倒伏ローラ１２２を軸Ｌ２を含む平面で切断した状態を示した断面図である。
【００３２】
本実施態様のテープ保持器１００において、テープ保持器１００の底部には、磁石１４０（固定手段）が取り付けられている。また、テープ供給装置３００におけるテープ保持器１００を装着する箇所は磁性体で形成されており、磁石１４０が固着することができるようになっている。このため、テープ保持器１００の位置ずれを防止しながらも、テープ保持器１００をワンタッチでテープ供給装置３００に装着することができるようになっている。
【００３３】
４．１  起立ローラ（起立ガイド）
本実施態様のテープ保持器１００において、起立ローラ１２１は、図７に示すように、大径部と小径部とを有するものを採用している。片面粘着テープ２１０は、図５と図６に示すように、その粘着面を起立ローラ１２１の外周面と接触させた状態で起立ローラ１２１に掛け回される。
【００３４】
この起立ローラ１２１は、図７に示すように、片面粘着テープ２１０の幅方向における所定区間のみを大径部で支持し、大径部に支持されずにはみ出した片面粘着テープ２１０の側端部を片面粘着テープ２１０の粘着面側に起立させるものとなっている。
【００３５】
片面粘着テープ２１０の一方の側端部のみを折り返したい場合には、その一方の側端部のみが起立ローラ１２１の大径部からはみ出るように大径部の寸法を設定する。また、片面粘着テープ２１０の両方の側端部を折り返したい場合には、両方の側端部が起立ローラ１２１の大径部からはみ出るように大径部の寸法を設定する。
【００３６】
起立ローラ１２１の大径部の外周面には、複数本の溝が設けられており、起立ローラ１２１と片面粘着テープ２１０との接触面積を小さくすることができるようになっている。このため、起立ローラ１２１で片面粘着テープ２１０を円滑に案内することができるようになっている。
【００３７】
起立ローラ１２１を設ける位置は、起立ローラ１２１に導入される直前の片面粘着テープ２１０と起立ローラ１２１から導出された直後の片面粘着テープ２１０とのなす角度θ１（図５を参照。）を考慮して決定される。
【００３８】
角度θ１が小さすぎると、片面粘着テープ２１０が起立ローラ１２１から受ける摩擦力が大きくなり、片面粘着テープ２１０を円滑に案内できなくなるおそれがある一方で、角度θ１が大きすぎると、片面粘着テープ２１０の側端部が十分に起立しなくなり、片面粘着テープ２１０の側端部が折り返されなくなるおそれがあるためである。
【００３９】
このため、角度θ１は、通常、３０°〜１５０°の範囲で設定される。角度θ１は、４５°〜１３５°の範囲で設定すると好ましく、６０°〜１２０°の範囲で設定するとより好ましい。本実施態様のテープ保持器１００においては、角度θ１が約９０°となる位置に起立ローラ１２１を設けている。
【００４０】
４．２  倒伏ローラ（倒伏ガイド）
本実施態様のテープ保持器１００において、倒伏ローラ１２２は、図８に示すように、軸部の両端に拡径部を設けたものを採用している。片面粘着テープ２１０は、図５に示すように、その非粘着面を倒伏ローラ１２２の軸部における外周面と接触させた状態で倒伏ローラ１２２に掛け回される。
【００４１】
この倒伏ローラ１２２は、図６に示すように、片面粘着テープ２１０を非粘着面側に反らせることによって、起立していた片面粘着テープ２１０の側端部を粘着面側に倒伏させて折り返すものとなっている。倒伏ローラ１２２の軸部は、片面粘着テープ２１０の幅方向と平行に配される。
【００４２】
折り返された片面粘着テープ２１０の側端部は、図８に示すように、片面粘着テープ２１０の粘着面の一部を覆う。このため、片面粘着テープ２１０には、その長手方向に沿った非粘着部が形成される。この非粘着部は、剥がししろとして利用することができる。
【００４３】
倒伏ローラ１２２の拡径部は、側端部が折り返された片面粘着テープ２１０の幅と略一致するように設定されている。このため、倒伏ローラ１２２は、片面粘着テープ２１０を幅方向に位置ずれさせることなく案内することができるようになっている。
【００４４】
倒伏ローラ１２２に設けられた一対の拡径部のうち、非粘着部が形成される側となる拡径部は、図８に示すように、その軸部接続面がすり鉢状に陥没して形成されている。このため、片面粘着テープ２１０が倒伏ローラ１２２から受ける摩擦力を低減させ、粘着テープ２１０の側端部を円滑に倒伏させることができるようになっている。
【００４５】
倒伏ローラ１２２は、図４と図５に示すように、可動アーム１５０の先端に取り付けられている。このため、テープロール２００を交換する際には、倒伏ローラ１２２を上方に移動させることができるようになっており、片面粘着テープ２１０の掛け回しを容易に行うことができるようになっている。
【００４６】
倒伏ローラ１２２を設ける位置は、倒伏ローラ１２２に導入される直前の片面粘着テープ２１０と倒伏ローラ１２２から導出された直後の片面粘着テープ２１０とのなす角度θ２（図５を参照。）を考慮して決定される。
【００４７】
角度θ２が小さすぎると、片面粘着テープ２１０が倒伏ローラ１２２から受ける摩擦力が大きくなり、片面粘着テープ２１０を円滑に案内できなくなるおそれがある一方で、角度θ２が大きすぎると、片面粘着テープ２１０の側端部が十分に折り返されなくなり、片面粘着テープ２１０に非粘着部を綺麗に形成できなくなるおそれがあるためである。
【００４８】
このため、角度θ２は、通常、３０°〜１５０°の範囲で設定される。角度θ２は、４５°〜１３５°の範囲で設定すると好ましく、６０°〜１２０°の範囲で設定するとより好ましい。本実施態様のテープ保持器１００においては、角度θ２が約９０°となる位置に倒伏ローラ１２２を設けている。
【００４９】
５  用途
本発明のテープ保持器と、該テープ保持器を装着したテープ供給装置は、各種の用途に用いることができる。例えば、コンビニエンスストアやスーパーマーケットなどで販売されるサラダや弁当などを包装する食品包装容器の本体と蓋体とを粘着テープで留める際などに好適に用いることができる。
【図面の簡単な説明】
【００５０】
【図１】本発明のテープ保持器にテープロールを保持させた状態を示した斜視図である。
【図２】本発明のテープ保持器を装着する電動式のテープ供給装置を示した斜視図である。
【図３】図１のテープ保持器を図２のテープ供給装置に装着した状態を示した斜視図である。
【図４】図１のテープ保持器を分解した状態を示した斜視図である。
【図５】図１のテープ保持器から側板を取り外した様子を軸Ｌ１に平行な方向から見た状態を示した図である。
【図６】テープロールから繰り出された片面粘着テープの側端部が折り返されて非粘着部が形成される様子を示した斜視図である。
【図７】図１における起立ローラを軸Ｌ１を含む平面で切断した状態を示した断面図である。
【図８】図１における倒伏ローラを軸Ｌ２を含む平面で切断した状態を示した断面図である。
【符号の説明】
【００５１】
１００  テープ保持器
１１０  テープロール支持手段
１１１  第一支持ローラ
１１２  第二支持ローラ
１２０  テープ折り返し手段
１２１  起立ローラ（起立ガイド）
１２２  倒伏ローラ（倒伏ガイド）
１３０  側板
１３１  側板
１３２  側板
１３３  底板
１３４  仮留め台
１４０  磁石（固定手段）
１５０  可動アーム
１６０  切断刃
２００  テープロール
２１０  テープロールから繰り出された片面粘着テープ
２１１  非粘着部
２１２  粘着部
３００  テープ供給装置
３１０  テープ送出口
３２０  テープ受け手段
Ｌ１  起立ローラの中心軸
Ｌ２  倒伏ローラの中心軸
θ１  起立ローラに導入される直前の片面粘着テープと起立ローラから導出された直後の片面粘着テープとのなす角度
θ２  倒伏ローラに導入される直前の片面粘着テープと倒伏ローラから導出された直後の片面粘着テープとのなす角度
【図１】
2007217080.tif 000003
【図２】
2007217080.tif 000004
【図３】
2007217080.tif 000005
【図４】
2007217080.tif 000006
【図５】
2007217080.tif 000007
【図６】
2007217080.tif 000008
【図７】
2007217080.tif 000009
【図８】
2007217080.tif 000010